(57)【要約】【課題】  電子機器の蓋を開閉させても筐体表面に傷の付着を防止できる構成とする。【解決手段】  筐体１２０の表面に、その表面とほぼ平行な方向への移動で開閉自在な蓋部材１３０が取付けられた電子機器１００において、蓋部材を開いた際に、その蓋部材で覆われる位置の筐体の表面に配置した複数の透孔と、筐体のそれぞれの透孔に裏面側から嵌合し、筐体の表面から若干突出する突起１５１を有する補助部材とを備えた。【選択図】      図１ 
2005157106.tif 000002
【特許請求の範囲】
【請求項１】
筐体の表面に、その表面とほぼ平行な方向への移動で開閉自在な蓋部材が取付けられた電子機器において、
前記蓋部材を開いた際に、その蓋部材で覆われる位置の前記筐体の表面に配置した複数の透孔と、
前記筐体のそれぞれの透孔に裏面側から嵌合し、前記筐体の表面から若干突出する突起を有する補助部材とを備えた
電子機器。
【請求項２】
請求項１記載の電子機器において、
前記筐体の表面には塗装を施し、前記突起を有する補助部材は塗装を施さないようにした
電子機器。
【請求項３】
請求項１記載の電子機器において、
前記筐体に設けた複数の透孔は、前記蓋部材が開閉する方向に沿って細長く形成された透孔であり、前記補助部材の突起についても、その細長い透孔に嵌合するように細長く形成させた
電子機器。
【請求項４】
請求項１記載の電子機器において、
前記蓋部材は、カメラのレンズカバーである
電子機器。
【発明の詳細な説明】
【技術分野】
【０００１】
本発明は、例えばデジタルカメラやカメラ付き携帯電話端末の如き小型の電子機器に適用して好適な電子機器に関し、特に開閉自在な蓋部材を備えた電子機器に関する。
【背景技術】
【０００２】
従来、デジタルカメラにおいては、カメラ本体に取付けられたレンズカバーとしての蓋部材を、カメラ本体を構成する筐体に対して往復移動で開閉できるようにして、撮影時にはカバーを開いてレンズで撮影できるようにし、収納時にはカバーでレンズが保護されるようにしたものが各種実用化されている。例えば、図６に示すように、カメラ１０に設けられたレンズ１１の前面に位置するように、カバー１２を設けたものがある。このカバー１２は、カメラ１０を構成する筐体前面の表面１０ａに沿って、矢印ｘで示す方向に移動させることができるようにしてあり、そのように移動させて開くことで、レンズ１１で撮影できる状態となる。
【０００３】
この図６の例では、カバー１２の開閉は、ユーザがカバー１２を直接手で持って操作するようにしてある。より複雑な機構を備えたカメラの場合には、例えば特許文献１に記載のように、ギャなどの複雑な機構部品を使用して、モータによる駆動などでカバーを開閉できるようにしたものもある。
【特許文献１】特開２０００−３０５１３１号公報
【発明の開示】
【発明が解決しようとする課題】
【０００４】
特許文献１に記載のようないわゆる電動式のカバーは、機構が複雑であり、駆動させるための機構部品を内蔵させるために、機器が大型化する問題があり、小型化が要請されている携帯電話端末に内蔵されたカメラのレンズカバーのような機構には適さない。このため、図６に示した如き手動で開閉させるカバーを設ける構成とするのが一般的であるが、このような構成のカバーの開閉時には、注意してカバーを持たないと、カメラ本体を構成する筐体を傷つけてしまう問題があった。具体的には、例えば図６の示した例の場合、カバー１２を開ける操作としては、カバー１２のほぼ中央部を指で押さえて、その押さえた指を横方向に動かして、ｘ方向に開ける操作が一般的である。このとき、指でカバー１２を強く押してしまうと、カメラ本体を構成する筐体の表面１０ａとカバー１２の裏面側とが接触して、その接触したカバー１２により表面１０ａにｘ方向の傷をつけてしまう可能性がある。
【０００５】
特に、この種のカメラ本体を構成する筐体は、製品の質感を高めるために塗装してあることが多いが、そのように塗装してある筐体の表面に傷がつくと、塗装が傷で剥げることになり、傷が非常に目立ってしまう問題があった。
【０００６】
本発明はこれらの点に鑑みてなされたものであり、この種の電子機器の蓋を開閉させても筐体表面に傷の付着を防止できるようにすることを目的とする。
【課題を解決するための手段】
【０００７】
本発明は、筐体の表面に、その表面とほぼ平行な方向への移動で開閉自在な蓋部材が取付けられた電子機器において、蓋部材を開いた際に、その蓋部材で覆われる位置の筐体の表面に配置した複数の透孔と、筐体のそれぞれの透孔に裏面側から嵌合し、筐体の表面から若干突出する突起を有する補助部材とを備えたものである。
【０００８】
このように構成したことで、蓋部材を開閉させる際に、蓋部材を持った指で強く押しながら、スライドさせる操作があっても、その蓋部材の裏面側と、筐体の表面とが直接接触することが、透孔から突出した補助部材の突起により阻止されて、筐体の表面に傷が付着するのを防止できるようになる。
【発明の効果】
【０００９】
本発明によると、筐体の表面の透孔から突出した補助部材が傷つき防止部材として機能するために、蓋部材の開閉で筐体の表面に傷が付着するのを効果的に防止できるようになる。
【００１０】
この場合、筐体の表面には塗装を施し、突起を有する補助部材は塗装を施さないようにしたことで、蓋部材の開閉時に突起が蓋部材の裏面と接触して、突起の先端が若干擦れるようなことがあっても、その突起は材質そのものの色が見えているだけであるため、突起そのものの変化が判りにくく、傷つき防止部材として効果的に機能する。
【００１１】
また、筐体に設けた複数の透孔は、蓋部材が開閉する方向に沿って細長く形成された透孔であり、補助部材の突起についても、その細長い透孔に嵌合するように細長く形成させたことで、例えば蓋部材が開閉する範囲のほぼ全体に渡って突起で傷つきを防止できるような形状とすることが可能になり、より効果的に傷つきを防止できる。
【００１２】
また、蓋部材は、カメラのレンズカバーであることで、カメラ機能を備えた電子機器のカバーによる筐体表面への傷つきを効果的に防止できるようになる。
【発明を実施するための最良の形態】
【００１３】
以下、本発明の一実施の形態を、図１〜図４を参照して説明する。
本例においては、カメラ付き携帯電話端末の筐体に取付けられた蓋部材（カバー）に適用したものである。図１は本例の携帯電話端末１００の構成例を示した図である。本例の携帯電話端末１００は、第１の筐体１１０と第２の筐体１２０とを開閉自在に接合して構成される。携帯電話機能として使用される操作部や表示部などについては、図１では裏側になる面に配置してあり、説明を省略する。また、第１の筐体１１０と第２の筐体１２０とを開閉させる機構についてもここでは説明を省略する。なお図１では、右上が携帯電話端末１００としての上側であり、左下が携帯電話端末１００としての下側になる。
【００１４】
本例の携帯電話端末１００は、第２の筐体１２０側にカメラユニット２００（図２参照）を内蔵させてあり、そのカメラユニットを配置した位置の筐体の外側には、透明な部材（ガラス，樹脂など）で構成されたフィルタ１２１が取付けてある。このフィルタ１２１はカメラユニットの保護部材として機能するものである。また、フィルタ１２１に隣接して、ミラー１２２と、照明ユニット１２３とが配置してある。ミラー１２２は、カメラユニット２００で撮影を行う際に、カメラに向かっている者（被写体）が撮影画角などを確認するためのものである。照明ユニット１２３は、暗い状況で撮影する際に使用する光源であり、例えば発光ダイオードが使用される。
【００１５】
また、これらのフィルタ１２１，ミラー１２２，照明ユニット１２３が配置された第２の筐体１２０の外側には、蓋部材であるカバー１３０が筐体１２０の長手方向に移動可能に取付けてある。図１ではカバー１３０を閉じた位置で示してあり、図２ではカバー１３０を開けた位置で示してあり、図１に示すようにカバー１３０を閉じた状態では、フィルタ１２１，ミラー１２２，照明ユニット１２３の上にレンズカバー１３０が位置する。図２に示すようにカバー１３０を開けた状態では、第２の筐体１２０の表面の後方（図１，図２での左側）に設けられた電池蓋１４０の表面の上に、カバー１３０が被さった状態となっている。なお、カバー１３０の表面のほぼ中央の下寄りには、操作用突起部１３１が設けてあり、カバー１３０を開閉させる際には、その操作用突起部１３１に指をのせて、開閉させる操作を行うようにしてある。
【００１６】
電池蓋１４０は、携帯電話端末１００の第２の筐体１２０内に収納された二次電池（図示せず）を交換するために、筐体１２０から取り外しができる構成とされた蓋であり、通常の使用状態では、取り付けた状態となっていて、筐体１２０の表面と一体化する形状となっている。
【００１７】
そして本例においては、カバー１３０を開けた状態のときに、そのカバー１３０の裏面と接する筐体１２０の表面になる、電池蓋１４０に、筐体表面の傷つき防止のための突起１５１を設ける構成としてある。
【００１８】
図３は、本例の電池蓋１４０の構成例を示した図で、図３Ａは電池蓋１４０単体を示し、図３Ｂは電池蓋１４０に取付けられる補助部材１５０を示した図である。第２の筐体１２０に取付けた状態で、筐体と一体化する構成の電池蓋１４０には、６個の円形の透孔１４１が上側に３列（１列あたり２個）で設けてある。ここでの列の方向は、筐体１２０に取付けられた状態でカバー１３０が移動する方向である。それぞれの透孔１４１には、電池蓋１４０の裏面側に取付けられる補助部材１５０に設けた円形の突起１５１が嵌合するようにしてある。各透孔１４１と各突起１５１との配置位置は一致するように形成してあり、電池蓋１４０の裏面に補助部材１５０を取付けた状態としたとき、電池蓋１４０の表面から突起１５１が若干（例えば１ミリ程度）突出するようにしてある。電池蓋１４０への補助部材１５０の固定は、例えば超音波溶着による固定や、接着剤による固定などで行う。
【００１９】
図４は、電池蓋１４０の裏面に補助部材１５０を取付けた状態の一部を断面で示した図である。図４に示すように、それぞれの突起１５１が透孔１４１に嵌合して、電池蓋１４０の表面から若干突出していることが判る。
【００２０】
なお、本例の第１の筐体１１０の表面と第２の筐体１２０の表面には、この携帯電話端末１００の質感を高めるために、所定の色で塗装を施してあり、電池蓋１４０の表面についても同じ色で塗装してある。但し後述するように、電池蓋１４０の裏面に取付けられる補助部材１５０（及びその補助部材に設けられた突起１５１）については塗装してなく、補助部材１５０を構成する樹脂そのものの色となっている。この補助部材１５０を構成する部材の色については、例えば、筐体を塗装した色と同系の色とする。
【００２１】
従って、電池蓋１４０から突出した突起１５１については、筐体の表面とは若干色が異なっているが、突起１５１そのものが小径であるため、色の違いは目立たない。
【００２２】
なお、突起１５１を有する補助部材１５０は、第２の筐体１２０（電池蓋１４０を含む）を構成する樹脂よりも硬質の樹脂を素材として使用するようにしても良い。例えば、第２の筐体１２０を構成する樹脂としてＡＢＳ樹脂を使用し、補助部材１５０を構成する樹脂としてＡＢＳ樹脂よりも対磨耗性に優れた摺動ＡＢＳ樹脂を使用する。
【００２３】
このように構成した電池蓋１４０が第２の筐体１２０に取付けてあることで、例えば図１に示すようにカバー１３０が閉じた状態から、矢印ａ方向にそのカバー１３０を開けて、図２に示す状態としたときに、カバー１３０で第２の筐体１２０の表面（具体的には電池蓋１４０の表面）に傷をつけることがない。即ち、カバー１３０を開閉する際には、ユーザの指で操作用突起部１３１を押さえながら、その指を矢印ａ方向（又はその逆方向）に動かすが、そのときにカバー１３０を押す力が強く、カバー１３０の裏面が第２の筐体１２０の表面と接触しようとしても、電池蓋１４０の表面に配置された突起１５１でその接触が阻止され、筐体１２０の表面（電池蓋１４０の表面）にカバー１３０による傷の付着が防止される。
【００２４】
また本例の場合には、筐体１２０（電池蓋１４０の表面）の表面には塗装を施し、突起１５１を有する補助部材１５０は塗装を施さないようにしたことで、カバー１３０の開閉時に突起１５１の先端がカバー１３０の裏面と接触して、突起１５１の先端が若干擦れるようなことがあっても、その突起１５１は材質そのものの色が見えているだけであるため、突起１５１そのものの変化が判りにくく、傷つき防止部材として効果的に機能する。もし突起１５１そのものに塗装がしてあった場合には、カバー１３０の裏面との接触で、塗装が剥がれてしまい、突起１５１の先端が擦れたことが目立ってしまうが、本例の場合にはそのようなことがない。また、本例の突起１５１は、補助部材１５０で一体化されているので、それぞれの突起１５１の部分だけを別部品とする場合に比べて、突起が透孔から外れる可能性が低く、部品の損傷を効果的に防止できる構造になっている。
【００２５】
なお、上述した実施の形態では、カバー１３０の裏面と接触する可能性のある筐体表面に、円形の突起１５１を配置するようにしたが、その他の形状の突起を設けるようにしても良い。例えば図５に示した電池蓋１４０′のように、カバー１３０の開閉方向に伸ばした細長形状の透孔１４１′を２本配置して、それぞれの透孔１４１′から突出する細長形状の突起１６１を有する補助部材を構成させても良い。
【００２６】
この図５に示した構成の場合には、例えばカバー１３０が開閉する範囲のほぼ全体に渡って突起で傷つきを防止できるような形状とすることが可能になり、より効果的に傷つきを防止できる。
【００２７】
また、上述した実施の形態では、カメラ付き携帯電話端末が備えるレンズカバーとしての蓋部材と接する筐体に適用したが、デジタルカメラ装置が備えるカバーに関する機構にも適用できると共に、カメラ以外の各種電子機器が筐体表面に備えるカバーに関する機構にも適用できることは勿論である。
【図面の簡単な説明】
【００２８】
【図１】本発明の一実施の形態による機器の例を、カバーを閉じた状態で示す斜視図である。
【図２】本発明の一実施の形態による機器の例を、カバーを開いた状態で示す斜視図である。
【図３】本発明の一実施の形態による筐体の表面の一部を構成する部材（電池蓋）を分解して示す斜視図である。
【図４】図３に示す部材の一部断面図である。
【図５】本発明の他の実施の形態による機器の例を示す斜視図である。
【図６】従来のカバーを備えた電子機器の一例を示す斜視図である。
【符号の説明】
【００２９】
１００…携帯電話端末、１１０…第１の筐体、１２０…第２の筐体、１３０…カバー、１３１…操作用突起部、１４０，１４０′…電池蓋、１４１，１４１′…透孔、１５０…補助部材、１５１，１６１…突起部、２００…カメラユニット
【図１】
2005157106.tif 000003
【図２】
2005157106.tif 000004
【図３】
2005157106.tif 000005
【図４】
2005157106.tif 000006
【図５】
2005157106.tif 000007
【図６】
2005157106.tif 000008